(57)【要約】【課題】ワインを長期間、良好な状態で保存する。【解決手段】ワインを貯蔵する貯蔵室内に冷気を循環させて内部を約１０℃に保つ冷気循環機構１５と、冷気循環機構１５に設けられ循環される冷気中の雑菌を除去する除菌手段１６と、殺菌した空気を貯蔵室７内に供給する空気供給手段１８と、貯蔵室７内の湿度を約８０％に保つ加湿手段１７とを備えた。振動を発生させる装置類は緩衝手段４０を介して設けた。容器本体２の底部には、設置部分の床から伝わる振動を吸収する緩衝手段４１を設けた。貯蔵室７を３分割して小部屋９を構成し、各小部屋９に、紫外線を除去する透明板又は半透明板で構成されて各小部屋９を個別に開閉する内蓋１３を設けた。【選択図】    図１
2004347233.tif 000002
【特許請求の範囲】
【請求項１】
ワインを貯蔵する貯蔵室を備えたワインセラーにおいて、
上記貯蔵室内の雑菌を除去する除菌手段を備えたことを特徴とするワインセラー。
【請求項２】
ワインを貯蔵する貯蔵室を備えたワインセラーにおいて、
殺菌した空気を上記貯蔵室内に供給する空気供給手段を備えたことを特徴とするワインセラー。
【請求項３】
請求項１又は２に記載のワインセラーにおいて、
上記貯蔵室内の温度を約１０℃に保つ温度調整手段を備えたことを特徴とするワインセラー。
【請求項４】
請求項１ないし３のいずれか１項に記載のワインセラーにおいて、
上記貯蔵室内の湿度を約８０％に保つ湿度調整手段を備えたことを特徴とするワインセラー。
【請求項５】
ワインを貯蔵する貯蔵室を備えたワインセラーにおいて、
上記貯蔵室内に冷気を循環させて内部を約１０℃に保つ冷気循環機構と、
当該冷気循環機構に設けられ循環される冷気中の雑菌を除去する除菌手段と、
殺菌した空気を上記貯蔵室内に供給する空気供給手段と、
上記貯蔵室内の湿度を約８０％に保つ加湿手段とを備えたことを特徴とするワインセラー。
【請求項６】
請求項１ないし５のいずれか１項に記載のワインセラーにおいて、
振動を発生させる装置類を緩衝手段を介して設けたことを特徴とするワインセラー。
【請求項７】
請求項１ないし６のいずれか１項に記載のワインセラーにおいて、
設置部分の床から伝わる振動を吸収する緩衝手段を底部に設けたことを特徴とするワインセラー。
【請求項８】
請求項１ないし７のいずれか１項に記載のワインセラーにおいて、
上記貯蔵室を複数に分割して構成されそれぞれに１又は数本のワインが収納される複数の小部屋と、
紫外線を除去する透明板又は半透明板で構成されて上記各小部屋にそれぞれ設けられ各小部屋を個別に開閉する内蓋と、
上記貯蔵室全体を開閉する開閉扉とを備えたことを特徴とするワインセラー。
【請求項９】
請求項８に記載のワインセラーにおいて、
上記小部屋と内蓋との間に、気密性に優れたシール材を設けたことを特徴とするワインセラー。
【発明の詳細な説明】
【０００１】
【発明の属する技術分野】
本発明は、ワインを良好な状態で保存することができるワインセラーに関するものである。
【０００２】
【従来の技術】
近年、家庭で本格的なワインの貯蔵ができるワインセラーが提案されている。このような、家庭で使用するワインセラーにおいては、温度、振動、紫外線等を管理する必要がある。
【０００３】
この種のワインセラーとしては特許文献１に記載のものがある。
【０００４】
【特許文献１】
特開２００１−１３３１０４号公報
【０００５】
【発明が解決しようとする課題】
ところが、特許文献１には、腐敗菌等の雑菌の侵入に対して全く対策がとられていない。
【０００６】
空気中には腐敗菌等の無数の雑菌が存在しており、それらの雑菌は当然にワインセラー内にも侵入する。一方、コルクは通気性があり、雑菌は比較的簡単にコルク栓を通ってワイン内に侵入する。そして、ワインに雑菌が侵入すると、ワインが変質して味が落ちてしまう。このため、ワインの周囲から雑菌を排除する必要があるが、特許文献１に係るワイン庫では、雑菌に対する対策が全く採られていない。
【０００７】
このため、ワインセラーで貯蔵中に、コルク栓を介して雑菌がワインボトル内に侵入してワインを変質させ、味が落ちてしまうという問題がある。
【０００８】
本発明は、上記従来の問題点に鑑みてなされたもので、ワインを良好な状態で保存することができるワインセラーを提供することを目的としている。
【０００９】
【課題を解決するための手段】
上記課題を解決するために、第１の発明に係るワインセラーは、ワインを貯蔵する貯蔵室を備えたワインセラーにおいて、上記貯蔵室内の雑菌を除去する除菌手段を備えたことを特徴とする。
【００１０】
上記構成により、除菌手段で貯蔵室内の雑菌を除去するため、ワイン内に雑菌が侵入するのを抑えることができる。これにより、ワインを良好な状態で保存することができる。
【００１１】
第２の発明に係るワインセラーは、ワインを貯蔵する貯蔵室を備えたワインセラーにおいて、殺菌した空気を上記貯蔵室内に供給する空気供給手段を備えたことを特徴とする。
【００１２】
上記構成により、空気供給手段で殺菌した空気を貯蔵室内に供給することにより、貯蔵室内を無菌状態又は雑菌の少ない状態に保ったまま新しい空気を供給することができ、ワイン内に雑菌が侵入するのを抑えて、ワインを熟成させる菌に酸素を供給することができる。これにより、ワインを良好な状態で保存することができる。
【００１３】
第３の発明に係るワインセラーは、第１又は第２の発明に係るワインセラーにおいて、上記貯蔵室内の温度を約１０℃に保つ温度調整手段を備えたことを特徴とする。
【００１４】
上記構成により、ワインを熟成させる菌の活動を良好な状態に保つことができる。
【００１５】
第４の発明に係るワインセラーは、第１ないし第３の発明のいずれかに係るワインセラーにおいて、上記貯蔵室内の湿度を約８０％に保つ湿度調整手段を備えたことを特徴とする。
【００１６】
上記構成により、湿度調整手段で上記貯蔵室内の湿度を約８０％に保つことにより、コルク栓が一定の膨らみ状態を保って、ワインボトルの内外での空気の出入りを良好に保つことができる。
【００１７】
第５の発明に係るワインセラーは、ワインを貯蔵する貯蔵室を備えたワインセラーにおいて、上記貯蔵室内に冷気を循環させて内部を約１０℃に保つ冷気循環機構と、当該冷気循環機構に設けられ循環される冷気中の雑菌を除去する除菌手段と、殺菌した空気を上記貯蔵室内に供給する空気供給手段と、上記貯蔵室内の湿度を約８０％に保つ加湿手段とを備えたことを特徴とする。
【００１８】
上記構成により、冷気循環機構によって、貯蔵室内に冷気を循環させて、貯蔵室内をワインにとって最適な温度である約１０℃に保つ。これにより、ワインを熟成させる菌の活動を良好な状態に保つことができる。また、除菌手段によって、冷気循環機構で循環される冷気中の雑菌を除去して、貯蔵室内の雑菌を除去するため、貯蔵室内を無菌状態又は雑菌の少ない状態に保つことができ、ワイン内に雑菌が侵入するのを抑えることができる。これにより、ワインを良好な状態で保存することができる。また、空気供給手段で殺菌した空気を貯蔵室内に供給することにより、貯蔵室内を無菌状態又は雑菌の少ない状態に保ったまま新しい空気を供給することができ、ワイン内に雑菌が侵入するのを抑えて、ワインを熟成させる菌に酸素を供給することができる。さらに、湿度調整手段で上記貯蔵室内の湿度を約８０％に保つことにより、コルク栓が一定の膨らみ状態を保って、ワインボトルの内外での空気の出入りを良好に保つことができる。これらにより、ワインを良好な状態で保存することができる。
【００１９】
第６の発明に係るワインセラーは、第１ないし第５の発明のいずれかに係るワインセラーにおいて、振動を発生させる装置類を緩衝手段を介して設けたことを特徴とする。
【００２０】
上記構成により、振動を発生させる装置類を緩衝手段を介して設けることにより、貯蔵したワインに振動が伝わるのを防止する。これにより、ワインに悪影響を与えず、良好な状態で貯蔵することができる。
【００２１】
第７の発明に係るワインセラーは、第１ないし第６の発明のいずれかに係るワインセラーにおいて、設置部分の床から伝わる振動を吸収する緩衝手段を底部に設けたことを特徴とする。
【００２２】
上記構成により、ワインセラーの底部に緩衝手段を設けたので、周囲に存在する振動発生源から床を伝って振動が伝達してきた場合でも、緩衝手段で振動が吸収されて、貯蔵したワインに振動が伝わるのを防止する。これにより、ワインに悪影響を与えず、良好な状態で貯蔵することができる。
【００２３】
第８の発明に係るワインセラーは、第１ないし第７の発明のいずれかに係るワインセラーにおいて、上記貯蔵室を複数に分割して構成されそれぞれに１又は数本のワインが収納される複数の小部屋と、紫外線を除去する透明板又は半透明板で構成されて上記各小部屋にそれぞれ設けられ各小部屋を個別に開閉する内蓋と、上記貯蔵室全体を開閉する開閉扉とを備えたことを特徴とする。
【００２４】
上記構成により、ワインを見る場合は、開閉扉を開いて、透明板又は半透明板の内蓋越しに、各小部屋のワインを見る。これにより、各小部屋に外気が流入するのを防止する。さらに、内蓋は紫外線を除去する透明板又は半透明板で構成されているため、開閉扉を開いたときにも、ワインに紫外線が当たるのを防止することができる。ワインを取り出すときは、開閉扉を開き、取り出すワインの入った小部屋の内蓋のみを開いてそのワインを取り出す。これにより、各小部屋に外気が流入するのを最小限に抑える。これにより、貯蔵室内の温度及び湿度を良好に保つことができると共に、無菌状態又は雑菌の少ない状態に保つことができ、ワイン内に雑菌が侵入するのを抑えることができ、ワインを良好な状態で保存することができる。
【００２５】
第９の発明に係るワインセラーは、第８の発明に係るワインセラーにおいて、上記小部屋と内蓋との間に、気密性に優れたシール材を設けたことを特徴とする。
【００２６】
上記構成により、小部屋内の気密性を保つことができ、各小部屋内に外気が流入するのを防止して、貯蔵室内を無菌状態又は雑菌の少ない状態に保つことができる。これにより、ワイン内に雑菌が侵入するのを抑えることができ、ワインを良好な状態で保存することができる。
【００２７】
【発明の実施の形態】
以下、本発明の実施形態について、添付図面を参照しながら説明する。
【００２８】
本実施形態に係るワインセラー１は、図２〜４に示すように、容器本体２と、開閉扉３と、装置類４とから構成されている。
【００２９】
容器本体２は、ワインを貯蔵するための箱体であって、必要に応じて直方体状、四角柱状等の種々の形状に形成される。この容器本体２には、ワインを収納して貯蔵する貯蔵室７と、装置類４を収納する機械室８とを備えている。
【００３０】
貯蔵室７は、直接にワインを収納して貯蔵するため空間である。貯蔵室７は、複数（本実施形態では縦方向に三段）の小部屋９で構成されている。各小部屋９は、貯蔵室７を複数に分割して構成されている。各小部屋９は、１又は数本のワインが収納できる大きさに設定されている。各小部屋９を仕切る仕切板１１には通気孔１２が設けられている。この通気孔１２は、各小部屋９に冷気を循環させるための孔である。通気孔１２は、１つの小部屋９の底部側と天井部側に１つずつ設けられている。各通気孔１２は、互いに最も離れた位置に設けられている。これにより、冷気が下段の小部屋９から上段の小部屋９へ順次流れながら各小部屋９の隅々まで行き渡るように設定されている。これは、冷気が各小部屋９の隅々まで行き渡って雑菌を押し流し、雑菌が小部屋９の隅に残らないようにするためである。
【００３１】
各小部屋９の前面開口には、内蓋１３がそれぞれ設けられている。この内蓋１３は、各小部屋９を個別に密封するための蓋である。各小部屋９は、必要に応じて個別に開閉されることで、貯蔵したワインの周囲に外気が極力流入しないようになっている。内蓋１３は、紫外線を除去する透明板又は半透明板で構成されている。これにより、ワインにとって好ましくない紫外線が必要以上にワインに当たらないようにしている。
【００３２】
内蓋１３の内側面又は小部屋９の前面開口の周囲には、小部屋９内を密封するためのシール材（図示せず）が設けられている。このシール材は、気密性に優れたパッキンによって構成され、内蓋１３が閉じられたときに、内蓋１３の内側面と小部屋９の前面開口の周囲とに密着してこれらの間を気密に封止するようになっている。
【００３３】
機械室８は装置類４を収納するための空間である。機械室８は、容器本体２の裏面の下部に設けられ、ワインの収納空間を極力狭めないように設定されている。機械室８を設ける位置は、他の部材との兼ね合いで適宜設定する。例えば、各小部屋９を下方へずらす場合は、機械室８を容器本体２の上部に設ける場合もある。
【００３４】
装置類４は、貯蔵室７内を正常な状態（温度が約１０℃、湿度が約８０％で、雑菌が少ない状態、理想的には無菌状態）にするための種々の装置である。この装置類４は、図１に示すように、冷気循環機構１５と、除菌手段１６と、加湿手段１７と、空気供給手段１８と、循環通路１９とを備えている。
【００３５】
冷気循環機構１５は、貯蔵室７の各小部屋９内に冷気を循環させて各小部屋９内の温度を約１０℃に保つための装置である。この冷気循環機構１５は、循環通路１９内の空気を冷やすヒートポンプ式の熱交換機（図示せず）と、貯蔵室７の各小部屋９に冷気を供給する送風機（図示せず）と、貯蔵室７内に設けられて貯蔵室７内の温度を検出する温度センサ２０とから構成されている。熱交換機は、コンプレッサー、凝縮器、蒸発器、減圧弁等（いずれも図示せず）を備えて構成され、蒸発器が循環通路１９に設けられている。これにより、循環通路１９を通って蒸発器を通過する空気が冷やされるようになっている。冷気循環機構１５には制御部（図示せず）が設けられている。この制御部は、温度センサ２０で検出した各小部屋９内の温度の変化に応じて熱交換機及び送風機を制御して、各小部屋９内の温度を約１０℃に保つようになっている。
【００３６】
除菌手段１６は、貯蔵室７内の雑菌を除去するための装置である。この除菌手段１６は、循環通路１９に設けられ、循環通路１９内を流れる冷気中の雑菌を除去するようになっている。これにより、除菌手段１６を連続的に作動させることで、各小部屋９内の空気が循環通路１９内に順次流され、除菌されて各小部屋９内へ戻される。これにより、各小部屋９内の雑菌が除去されるようになっている。
【００３７】
除菌手段１６は、紫外線で殺菌して雑菌を除去する方式、電界生成水で殺菌して雑菌を除去する方式、又は除菌フィルターで雑菌を捕集して除菌する方式等を用いる。
【００３８】
紫外線を用いる除菌手段１６では、循環通路１９を通過する空気に紫外線を照射して空気中の雑菌を死滅させる。この除菌手段１６は、図５に示すように、貯留室２２、紫外線光源２３とから構成されている。貯留室２２は、空気を一時的に貯めるための部屋である。貯留室２２は、循環通路１９の途中を拡大して構成されている。これにより、循環通路１９を流れてきた空気は、貯留室２２に流入することで流れが遅くなり、貯留室２２内をゆっくりと流れるようになっている。紫外線光源２３は、貯留室２２内の空気に紫外線を照射するための装置である。紫外線光源２３は、貯留室２２内に設けられて、貯留室２２内を流れる空気に対して紫外線を照射させるようになっている。これにより、循環通路１９を流れてきた空気は貯留室２２内に流入してゆっくりした流れになり、紫外線光源２３からの紫外線がゆっくり流れる空気に照射されて空気中の雑菌が死滅されるようになっている。
【００３９】
電界生成水を用いる除菌手段１６では、電界水生成装置で有隔膜電解を行ってアルカリ性水及び酸性水を生成させ、この電界生成水で殺菌する方式である（特開平１０−１５１４６０号公報参照）。この電界生成水を、循環通路１９にシャワー状に吹き付け、その中に空気を通す。これにより、空気中の雑菌を死滅させることができる。
【００４０】
除菌フィルターを用いる除菌手段１６では、図６に示すように、雑菌を濾し取る高精度のフィルター２５を循環通路１９に設け、このフィルター２５に空気を通して空気中の雑菌を除去する。
【００４１】
また、銀等の殺菌効果のある金属材料を用いて除菌フィルター２５を構成してもよい。この場合は、銀等の金属材料を網状又は不織布状に編み上げて、フィルター２５を形成する。このフィルター２５を循環通路１９に詰めて、循環通路１９内を流れる空気をフィルター２５内に通して除菌する。
【００４２】
加湿手段１７は、貯蔵室７内の湿度を約８０％に保つための装置である。この加湿手段１７は、図１に示すように、循環通路１９に設けられ、この循環通路１９内を通過する空気を加湿して貯蔵室７の各小部屋９内の湿度を約８０％に調整する。加湿手段１７は、具体的には図７に示すように、貯留槽２７と、超音波振動子２８と、水補給装置２９と、湿度センサ３０と、制御部３１とから構成されている。
【００４３】
貯留槽２７は、加湿するための水を貯めておく容器である。貯留槽２７は、循環通路１９に開口して設けられ、内部に貯められた水の水面から霧状に飛散した水分が循環通路１９にそのまま流入するようになっている。
【００４４】
超音波振動子２８は、超音波で振動して水を霧状にするための装置である。超音波振動子２８は、貯留槽２７の底部に設けられ、超音波で振動して貯留槽２７内の水を霧状にして水面から飛散させ、循環通路１９内に供給する。
【００４５】
水補給装置２９は、貯留槽２７内に水を補給して一定水位を維持するための装置である。水補給装置２９は、水タンク３２と、供給配管３３と、開閉弁３４とから構成されている。
【００４６】
水タンク３２は、貯留槽２７内に補給する水を貯めておくためのタンクである。水タンク３２の天井部にはキャップ３５が取り付けられている。このキャップ３５は、取り外されることで水タンク３２の内部に水を補給できると共に、閉められることで水タンク３２の内部を密封するためのものである。
【００４７】
供給配管３３は、水タンク３２内の水を貯留槽２７内に補給するための配管である。この供給配管３３は、その基端部が水タンク３２の底部に連通され、先端部が貯留槽２７内の設定位置に取り付けられている。この供給配管３３の先端部の取り付け位置は、貯留槽２７内において維持したい水位に合わせて設定されている。これにより、貯留槽２７内の水位が供給配管３３の先端部よりも下がると、供給配管３３の先端部から水が供給されるようになっている。即ち、貯留槽２７内の水位が供給配管３３の先端部よりも下がると、供給配管３３の先端部が水面上に出てしまって供給配管３３から水タンク３２内に空気が侵入し、これにより供給配管３３の先端部から水が噴出して貯留槽２７に水を供給される。この現象が、供給配管３３の先端部が水面下に水没するまで続いて、貯留槽２７内の水位を設定高さに維持するようになっている。
【００４８】
開閉弁３４は、供給配管３３の途中に設けられて供給配管３３を開閉するための弁である。この開閉弁３４は、キャップ３５を外して水タンク３２内に水を補給するときに閉められて、貯留槽２７内に水が流入するのを防止する。
【００４９】
湿度センサ３０は、貯蔵室７内の湿度を検出するためのセンサである。この湿度センサ３０は貯蔵室７内に設けられて制御部３１に接続されている。制御部３１は、貯蔵室７内の湿度を約８０％に維持するために全体を制御する。具体的には、湿度センサ３０で検出した湿度に応じて超音波振動子２８の出力を調整して霧状に飛散する水分量を調整し、貯蔵室７内の湿度を８０％に合わせていく。
【００５０】
空気供給手段１８は、殺菌した新しい空気を貯蔵室７の各小部屋９内に供給するための装置である。ワインは呼吸しているため、開閉扉３を締め切った状態で長期間保存すると、酸素が不足する可能性がある。このため、僅かずつ新しい空気を補充してやる必要がある。空気供給手段１８は、これを補うためのものである。ただし、直接外気を導入すると、外気と一緒に雑菌も入ってくるため、空気供給手段１８には殺菌機能が備えられている。具体的には図８に示すように構成されている。即ち、空気供給手段１８は、常閉弁３６と、送風機３７と、除菌手段３８とから構成されている。
【００５１】
常閉弁３６は、通常は塞がれた状態に維持して外気の侵入を防止し、送風機３７の作動開始によって開いて外気を吸引するための弁である。この常閉弁３６は、スプリング等により閉じる方向に付勢された公知の弁を用いる。送風機３７は、常閉弁３６を開いて外気を吸引するためのものである。外気の吸引量は僅かで済むため、送風機３７は、タイマー（図示せず）によって間欠的に作動するようになっている。除菌手段３８は、上述した除菌手段１６と同様に構成されている。
【００５２】
循環通路１９は、貯蔵室７内の空気を取り出し、冷却、除菌及び加湿して貯蔵室７に戻すための通路である。この循環通路１９は、その一端が３段の小部屋９のうちの最上段の小部屋９の奥側（図４中の右上側）に連通され、他端が最下段の小部屋９の通気孔１２に連通されている。これにより、各小部屋９の隅々に冷気が行き渡るようになっている。
【００５３】
上記各装置のうちコンプレッサー等の振動を発生させる装置は、すべて緩衝手段４０（図３参照）を介して機械室８内に取り付けられている。緩衝手段４０は、振動を吸収してワインへの振動の伝達を防止するための部材である。緩衝手段４０としては、振動を伝えにくい防振ゴム等の合成樹脂板や不織布等を用いる。この合成樹脂板等を介して装置を取り付けて、装置から発生する振動を合成樹脂板等で吸収して、ワインへの振動の伝達を防止する。
【００５４】
開閉扉３は、図２に示すように、貯蔵室７の前面の全体を開閉するための扉である。この開閉扉３により、各内蓋１３が塞がれるようになっている。開閉扉３は、光を通さない不透明の材料で構成され、紫外線を含む一切の光の侵入を防止する。
【００５５】
容器本体２の底部には、設置部分の床から伝わる振動を吸収する緩衝手段４１（図２、図３参照）が設けられている。この緩衝手段４１は、上記振動を発生させる装置の緩衝手段４０と同様の部材で構成されている。
【００５６】
以上のように構成されたワインセラー１は、次のようにして使用される。
【００５７】
まず、開閉扉３を開き、内蓋１３を開いて小部屋９内にワインを貯蔵する。この際に、長期間保存するものと、短期間保存するものとを分けて、各小部屋９に貯蔵する。
【００５８】
貯蔵室７の各小部屋９内は、冷気循環機構１５によって約１０℃に保たれている。この場合、冷気循環機構１５の作動によって循環通路１９内を流れる空気が冷やされて貯蔵室７内に戻される。貯蔵室７内においては、冷気は、まず最下段の小部屋９に通気孔１２から流入し、３段の各小部屋９内を順次流れていく。各小部屋９では、最も手前側と最も奥側の底板又は天井板に設けられた通気孔１２の一方から流入して他方から流出する。これにより、各小部屋９の隅々に冷気が行き渡り、各小部屋９内の空気が淀みなく全部入れ替わる。そして、最上段の小部屋９から循環通路１９内に取り込まれる。このとき、貯蔵室７内の温度センサ２０によって各小部屋９内の温度が検出され、制御部でその温度に応じて熱交換機及び送風機を制御する。これにより、循環通路１９を介して小部屋９に供給される冷気の温度及び送風量を調整して、各小部屋９内の温度を約１０℃に保つ。
【００５９】
除菌手段１６では、循環通路１９の途中に設けられた貯留室２２で緩やかな流れになった冷気に紫外線光源２３で紫外線を照射して冷気中の雑菌を死滅させて除去する。又は、電界水生成装置で生成した電界生成水を循環通路１９内にシャワー状に吹き付け、その中に冷気を通して雑菌を死滅させる。又は、循環通路１９内に設けた除菌フィルター２５内に冷気を通して雑菌を死滅させる。そして、各小部屋９内の空気は、冷気循環機構１５によって循環しているため、除菌手段１６によって除菌された冷気が小部屋９内に常時供給されることになり、各ワインの周囲を無菌又は雑菌の少ない環境に維持する。
【００６０】
加湿手段１７では、湿度センサ３０で検出した小部屋９内の湿度に応じて制御部３１が超音波振動子２８のオンオフや出力を制御して、貯留槽２７内の水を霧状に飛散させる量を調整する。霧状に飛散した水は循環通路１９を介して各小部屋９内に流入して各小部屋９内の湿度を高める。これを繰り返して各小部屋９内を湿度約８０％に維持する。
【００６１】
一方、各装置の作動に伴う振動や外部の振動は各緩衝手段４０、４１によって吸収されて、ワインに振動が伝わるのを防止している。
【００６２】
ワインを取り出すときには、開閉扉３を開き、内蓋１３を開く。そして、内蓋１３を開いた小部屋９内に貯蔵したワインを取り出す。他の小部屋９の内蓋１３は開かずにシール材で密封された状態を維持して、外気が必要以上に流入するのを防止する。さらに、内蓋１３によって小部屋９内への紫外線の侵入を防止する。
【００６３】
ワインを取り出した後は、内蓋１３を閉じて開閉扉３を閉じる。
【００６４】
一方、ワインの貯蔵状態等を見るときには、開閉扉３を開き、半透明の内蓋１３越しに各小部屋９内のワインを見る。
【００６５】
以上により、ワインを良好な状態で保存することができる。
【００６６】
［変形例］
なお、上記実施形態では、紫外線を用いる除菌手段１６において貯留室２２を設けたが、貯留室２２は設けずに、循環通路１９に紫外線を直接照射するようにしてもよい。
【００６７】
上記実施形態では、加湿手段１７及び除菌手段１６を循環通路１９に設けたが、貯蔵室７の内部に直接設けてもよい。この場合も、上記実施形態同様の作用、効果を奏することができる。
【００６８】
上記実施形態では、冷気循環機構１５を熱交換機によって構成したが、ベルチェ素子等の他の手段を用いてもよい。例えば、循環通路１９に氷水を貯める貯留槽を設けて、氷水で冷気を作るようにしてもよい。この場合、貯留槽の水はペルチェ素子等で凍らせる。
【００６９】
【発明の効果】
以上、詳述したように、本発明のワインセラーによれば、ワインに悪影響を及ぼす原因を全て除いたので、ワインを長期間、良好な状態で保存することができるようになる。
【図面の簡単な説明】
【図１】本発明の実施形態に係るワインセラーの装置類を示す概略構成図である。
【図２】本発明の実施形態に係るワインセラーを開閉扉を開いた状態で示す斜視図である。
【図３】本発明の実施形態に係るワインセラーを背面から示す斜視図である。
【図４】本発明の実施形態に係るワインセラーの各小部屋を示す概略斜視図である。
【図５】除菌手段の一例を示す概略正面図である。
【図６】除菌手段の他の例を示す概略正面図である。
【図７】加湿手段を示す概略構成図である。
【図８】空気供給手段を示す概略構成図である。
【符号の説明】
１：ワインセラー、２：容器本体、３：開閉扉、４：装置類、７：貯蔵室、８：機械室、９：小部屋、１２：通気孔、１３：内蓋、１５：冷気循環機構、１６：除菌手段、１７：加湿手段、１８：空気供給手段、１９：循環通路、２０：温度センサ、２２：貯留室、２３：紫外線光源、２５：フィルター、２７：貯留槽、２８：超音波振動子、２９：水補給装置、３０：湿度センサ、３１：制御部、３２：水タンク、３３：供給配管、３４：開閉弁、３５：キャップ、３６：常閉弁、３７：送風機、３８：除菌手段、４０，４１：緩衝手段。
【図１】
2004347233.tif 000003
【図２】
2004347233.tif 000004
【図３】
2004347233.tif 000005
【図４】
2004347233.tif 000006
【図５】
2004347233.tif 000007
【図６】
2004347233.tif 000008
【図７】
2004347233.tif 000009
【図８】
2004347233.tif 000010